(57)【要約】【課題】バイクに乗ったまま、グローブをはめたままでも、容易に必要な通貨を支払うことができる通貨収納装置を提供する。【解決手段】通貨を保持しつつ収納する収納部１１を有する本体ケース３と、この本体ケース３の開口部を開閉するとともに、本体ケース３に係止して閉状態を保つフック部材４を有する本体カバー５と、本体カバー５のフック部材４と本体ケース３との係止状態を解除する解除部７と、本体ケース３を体に装着するための装着部９とを備えている。【選択図】　　　図１
2004081841.tif 000002
【特許請求の範囲】
【請求項１】
通貨を保持しつつ収納する収納部を有する本体ケースと、
この本体ケースの開口部を開閉するとともに、前記本体ケースに係止して閉状態を保つ係止部を有する蓋部材と、
前記蓋部材の係止部と前記本体ケースとの係止状態を解除する解除部と、
前記本体ケースを体に装着するための装着部と、
を備えることを特徴とする通過収納装置。
【請求項２】
前記本体ケースには、前記蓋部材の係止部が係止する被係止部と、前記被係止部に前記係止部が係止する係止位置と前記被係止部と前記係止部との係止状態を解除する解除位置とに移動自在な移動部材とを備え、前記解除部は、前記移動部材を移動させるための操作部を備えていることを特徴とする請求項１に記載の通貨収納装置。
【請求項３】
前記解除部は、前記蓋部材を開閉させる駆動部と、この駆動部を駆動するためのスイッチ部とを備えていることを特徴とする請求項１又は２に記載の通貨収納装置。
【請求項４】
前記蓋部材は、開方向に向けて常時付勢されていることを特徴とする請求項１乃至３のいずれかに記載の通貨収納装置。
【請求項５】
前記蓋部材は流線型をなしていることを特徴とする請求項１乃至４のいずれかに記載の通貨収納装置。
【請求項６】
前記蓋部材の裏面には、紙幣およびカードを保持するための保持部材が設けられていることを特徴とする請求項１乃至５のいずれかに記載の通貨収納装置。
【請求項７】
前記装着部は、体のいずれかの部位に巻くためのバンドを備えていることを特徴とする請求項１乃至６のいずれかに記載の通貨収納装置。
【発明の詳細な説明】
【０００１】
【発明の属する技術分野】
本発明は、コイン、紙幣、カード等の通貨を収納する通貨収納装置に関する。
【０００２】
【従来の技術】
従来、バイクのライダーが料金所で通行料を支払う場合、厚手のグローブをはめているため、財布からコインや紙幣、あるいはハイウェイカード等の通貨を選び出したり、必要な金額のコインを揃えて料金所の係員に差し出す作業を迅速に行うことが非常に難しい。そのため、通行車輌が多く後続車に迷惑のかかるようなときは、バイクを一旦道路わきに停めてグローブを外し必要なコインを揃えたのち、料金所まで歩いて支払いをするライダー達も多い。
【０００３】
これに対し、バイクのハンドルに取り付けられるコインホルダや、タンクバックに内蔵されたコインホルダが市販されており、料金所における支払いの手間を軽減しようとしている。
【０００４】
このようなコインホルダとしては、例えば、実開平２−１２５６１７号公報に開示されているように、コインの直径よりやや大きい横幅の扁平な高さのコイン収納函を、数個並設し、その収納函内にコインを傾斜させて収納するものがある（例えば、特許文献１）。
【０００５】
【特許文献１】
実開平２−１２５６１７号公報
【０００６】
【発明が解決しようとする課題】
しかしながら、上述したようなコインホルダでは、ライダーがグローブを外さなければ、細かいコインの出し入れがし難く、料金所における支払いの手間がかかってしまうという問題があった。
【０００７】
本発明は、上述した事情に鑑みてなされたもので、バイクに乗ったまま、グローブをはめたままでも、容易に必要な通貨を支払うことができる通貨収納装置を提供することを目的とする。
【０００８】
【課題を解決するための手段】
請求項１に記載の発明は、通貨を保持しつつ収納する収納部を有する本体ケースと、
この本体ケースの開口部を開閉するとともに、前記本体ケースに係止して閉状態を保つ係止部を有する蓋部材と、
前記蓋部材の係止部と前記本体ケースとの係止状態を解除する解除部と、
前記本体ケースを体に装着するための装着部と、
を備えることを特徴とする。
【０００９】
この請求項１に記載の発明では、例えば、バイクのライダーは、装着部により本体ケースを例えば腕に装着した状態で、高速道路を走行する。そして、料金所で高速料金を支払うときには、解除部で蓋部材の係止状態を解除し、蓋部材を開けることにより、本体ケース内の収納部を露出させる。この状態で、本体ケースを装着した腕を、料金所の係員に差し出すことにより、料金所の係員に必要な通貨（コイン、紙幣、ハイウェイカード等）を取り出してもらう。
このように、本発明では、解除部で蓋部材の係止状態を解除するだけで、収納部を露出させることができるので、バイクに乗ったまま、グローブをはめたままでも、容易に必要な通貨を支払うことができる。
【００１０】
請求項２に記載の発明は、請求項１に記載の発明において、前記本体ケースには、前記蓋部材の係止部が係止する被係止部と、前記被係止部に前記係止部が係止する係止位置と前記被係止部と前記係止部との係止状態を解除する解除位置とに移動自在な移動部材とを備え、前記解除部は、前記移動部材を移動させるための操作部を備えていることを特徴とする。
なお、上記移動部材は、スプリング等の付勢部材により係止位置に向けて常時付勢されている。
【００１１】
この請求項２に記載の発明では、請求項１に記載の発明と同様な作用効果を奏するとともに、操作部を押すだけで、移動部材が例えば係止位置から解除位置に移動して、蓋部材の係止部と移動部材との係止状態が解除されるので、蓋部材を容易に開けることができる。
【００１２】
請求項３に記載の発明は、請求項１又は２に記載の発明において、前記解除部は、前記蓋部材を開閉させる駆動部と、この駆動部を駆動するためのスイッチ部とを備えていることを特徴とする。
なお、駆動部は、電気的に駆動するものであっても、機械的に駆動するものであっても良い。
【００１３】
この請求項３に記載の発明では、請求項１又は２に記載の発明と同様な作用効果を奏するとともに、スイッチ部への操作のみで、本体カバーを開閉自在にすることができるので、本体カバーの開閉動作がワンタッチで行え、本体カバーの開閉動作の手間を省略することができる。
【００１４】
請求項４に記載の発明は、請求項１乃至３のいずれかに記載の発明において、前記蓋部材は、開方向に向けて常時付勢されていることを特徴とする。
なお、蓋部材は、スプリング等の付勢部材により、開方向に向けて常時付勢されている。
【００１５】
この請求項４に記載の発明では、請求項１乃至３のいずれかに記載の発明と同様な作用効果を奏するとともに、蓋部材は、開方向に向けて常時付勢されているので、本体ケースに対する蓋部材の係止状態が解除されるだけで、蓋部材を自動的に開けることができ、蓋部材を開ける手間がかからない。
【００１６】
請求項５に記載の発明は、請求項１乃至４のいずれかに記載の発明において、前記蓋部材は流線型をなしていることを特徴とする。
【００１７】
この請求項５に記載の発明では、請求項１乃至４のいずれかに記載の発明と同様な作用効果を奏するとともに、蓋部材が流線型をなしているので、通貨収納装置を腕に装着した状態で、バイクを走行した場合に、風の抵抗を低減することができる。また、意匠性に優れた通貨収納装置を提供することができる。
【００１８】
請求項６に記載の発明は、請求項１乃至６のいずれかに記載の発明において，前記蓋部材の裏面には、紙幣やカード等を保持するための保持部材が設けられていることを特徴とする。
【００１９】
この請求項６に記載の発明では、請求項１乃至５のいずれかに記載の発明と同様な作用効果を奏するとともに、蓋部材の裏面に、保持部材が設けられているので、紙幣やカード等を容易に収納できる。また、保持部材を設けることにより、本体ケースの収納部にはコインのみ、保持部材には紙幣やカードのみといったように、通貨の種類に応じた区分けが容易にできるため、料金所における支払いの手間を更に軽減することができる。
【００２０】
請求項７に記載の発明は、請求項１乃至６のいずれかに記載の発明において、前記装着部は、体のいずれかの部位に巻くためのバンドを備えていることを特徴とする。
【００２１】
この請求項７に記載の発明では、請求項１乃至６のいずれかに記載の発明と同様な作用効果を奏するとともに、装着部はバンドを備えているので、本体ケースを体のいずれかの部位（例えば、腕、脚、腰等）に確実に装着できるとともに、構成が簡単である。
【００２２】
【発明の実施の形態】
以下、添付した図面を参照しながら、本実施の形態を詳細に説明する。図１乃至図３は、本実施の形態にかかる通貨保持装置を示す図である。
これら図１乃至図３に示すように、本体ケース３と、本体ケース３の開口を開閉するとともに、本体ケース３の後述する移動部材に係止するフック部材４を有する本体カバー（蓋部材）５と、本体カバー５の係止状態を解除するための解除部７と、本体ケース３を腕に装着するための装着部９とを備えている。
【００２３】
本体ケース３の略中央の位置には、１０円玉、５０円玉、１００円玉、５００円玉等のコインを収納するための収納部１１が設けられている。この収納部１１は、詳細な図示は省略するが、同種のコインを厚み方向に重ね合わせて収納するとともに、収納されたコインを一端へ押圧するスプリングが設けられている円筒形空間部が複数個並設されてなっており、これによりコインを保持しつつ収納するようになっている。
なお、収納部１１は、上述した構成に限定されず、コインを収納しつつ保持できるものであれば良い。
【００２４】
また、本体ケース３には、本体カバー５のフック部材４が係止する被係止片（被係止部）１３を有するとともに、このフック部材４が係止する係止位置と、フック部材４との係止状態を解除する解除位置とにスライド自在なスライド部材（移動部材）１５が設けられている。
すなわち、スライド部材１５が係止位置に位置しているときには、本体カバー５のフック部材４が被係止片１３に係止して、本体カバー５を閉状態に保持するようになっており、係止位置に位置しているスライド部材１５が解除位置にスライドすると、フック部材４と被係止片１３との係止状態が解除されるようになっている。
【００２５】
このスライド部材１５は、図２に示すように、略コ字型の板状をなしている。このスライド部材１５の両端部には長孔１９，１９が形成されており、これら長孔１９，１９には、本体ケース３に設けられた突出部２１，２１が挿通されている。これら突出部２１，２１の長手方向の長さは、長孔１９，１９よりも短くなっており、係止位置および解除位置にスライドするスライド部材１５のストッパの機能を果たしている。また、スライド部材１５は、スプリング１７により係止位置に向けて（図２の矢印Ａ参照）常時付勢されている。
【００２６】
本体カバー５は、図１および図４に示すように、流線型をなしており、本体カバー５および本体ケース３にそれぞれ形成された挿通孔に挿通されたピン２３を中心に回動自在になっている。また、本体カバー５は、本体ケース３に設けられたスプリング２４により、開方向（図３の矢印Ｃ参照）に向けて常時付勢されている。
【００２７】
また、本体カバー５のフック部材４は、図３に示すように、その先端部が円弧形状をなしており、支点４ａを中心に回動自在になっているとともに、スプリング６により、被係止片１３に係止する方向に付勢されている。これにより、本体カバー５を閉じているとき、フック部材４の先端部が、スライド部材１５の被係止片１３に突き当たると、フック部材４が外側（矢印Ｄ方向）に向けて回動し、フック部材４のフック部が被係止片１３を超えると、スプリング６の付勢力により、フック部材４が内側（矢印Ｅ方向）に復帰して被係止片１３に係止するようになっている。
【００２８】
さらに、本体カバー５の裏面には、図４に示すように、紙幣やカード等を保持するためのゴムバンド（保持部材）２８が取り付けられており、このゴムバンド２８と本体カバー５の裏面とで、紙幣やカード等を挟持するようになっている。なお、本実施の形態では、本体ケース３および本体カバー５は、樹脂により構成されているが、これに限定されるものではない。また、本体ケース３および本体カバー５の表面を、撥水性の素材（例えば、フッ素等）コーティングして、雨天時に雨水を弾くようにしても良い。
【００２９】
解除部７は、図５に示すように略三角形状をなす押し釦（操作部）２５と、押し釦２６に連結された押圧部材２７とを備えている。押圧部材２７の一端部２７ａは、押し釦２５の内側に設けられた支持部材２９に回動自在に支持されており、押圧部材２７の他端部２７ｂは、移動部材２５に対向するように位置している。押し釦２５が押圧されると、これに伴って押圧部材２７が図１の実線の位置から、一点鎖線の位置に移動することにより、押圧部材２７の他端部２７ｂが移動部材２５に突き当たって、移動部材２６を解除位置に向けて（矢印Ｃ参照）押圧するようになっている。
【００３０】
装着部９は、バンド（図示せず）と、このバンドを取り付けるための取付部材２９，２９とを備えており、取付部材２９に取り付けられたバンドを腕に巻くことにより、本体ケース３を腕に装着するようになっている。取付部材２９，２９は、本体ケース３の両側において、本体ケース３の長手方向の両端部側にそれぞれ設けられており、バンドを取り付けるための貫通孔２９ａ，２９ａがそれぞれ形成されている。
【００３１】
本実施の形態では、バンドの一端部には、貫通孔２９ａに取り付けるための取付具が設けられ、バンドの他端部には、いわゆるマジックテープ（商標名）が設けられており、各バンドのマジックテープにより、各バンドの他端部同士を結合するようになっている。
【００３２】
なお、本実施の形態では、バンドの他端部にマジックテープを設けたが、これに限定されず、例えば、各バンドの他端部同士を結びつけたり、或いは各バンドの他端部に凹凸を設けてこれら凹凸の嵌合させたりすることにより、各バンドの他端部同士を結合するようにしても良い。
【００３３】
次に、上述した構成に基づき、本実施の形態の作用を説明する。
バイクのライダーは、装着部９のバンドを腕に巻いて、本体ケース３を腕に装着し、この状態で高速道路を走行する。そして、料金所で高速料金を支払うときには、押し釦２５を指で押したり、バイクのハンドルに押し釦２５を押し付けたりする。
【００３４】
これにより、解除部７の押圧部材２７の他端部２７ｂがスライド部材１５を矢印Ｂ方向に押圧するので、スライド部材１５がスプリング１７の付勢力に抗して失印Ｂ方向にスライドする。このスライド部材１５が解除位置にまでスライドすると、本体カバー３のフック部材４と、スライド部材１５の被係止片１３との係止状態が解除されるため、本体カバー３はスプリング２４の付勢力で、矢印Ｃ方向に回動して開状態となって、本体ケース３の収納部１１および本体カバー５の裏面が露出する。
また、押し釦２５に対する押圧を解除すると、解除位置に位置する移動部材２５は、スプリング１７の付勢力により、矢印Ａ方向にスライドして、係止位置に復帰する。
【００３５】
この状態で、バイクのライダーは、本体ケース３を装着した腕を、料金所の係員に差し出し、料金所の係員に必要な通貨（コイン、紙幣、ハイウェイカード等）を取り出してもらう。
料金の支払いが終了した後、本体カバー５を閉じると、本体カバー５のフック部材４が、係止位置に位置しているスライド部材１５の被係止片１３に係止して、本体カバー５を閉状態に保つ。
【００３６】
上記構成の通貨収納装置１にあっては、押し釦２５を押すだけで、本体カバー５が開状態になって、本体ケース３の収納部１１に収納されたコインおよび本体カバー５の裏面の紙幣やカードを露出するので、バイクに乗ったまま、グローブをはめたままでも、容易に必要な通貨を支払うことができる。
【００３７】
また、押し釦２５を押すだけで、スライド部材１５が係止位置から解除位置にスライドして、本体カバー５のフック部材４とスライド部材１５との係止状態が解除されるので、本体カバー５を容易に開けることができる。しかも、本体カバー５は、スプリング２３により開方向に向けて常時付勢されているので、押し釦２５を押圧するだけで、本体カバー５を自動的に開けることができ、本体カバー５を開ける手間がかからなくて済む。
【００３８】
また、本体ケース５が流線型をなしているので、通貨収納装置１を腕に装着した状態で、バイクを走行した場合に、風の抵抗を低減することができるとともに、意匠性に優れる。
【００３９】
また、本体カバー５の裏面に、ゴムバンド２８が設けられているので、紙幣やカード等を容易に収納できる。さらに、ゴムバンド２８を設けることにより、本体ケース５の収納部１１にはコインのみ、ゴムバンド２８には紙幣やカードのみといったように、通貨の種類に応じた区分けが容易にできるため、料金所における支払いの手間を更に軽減することができる。
【００４０】
また、装着部９はバンドを備えているので、本体ケース３を腕に確実に装着できるとともに、構成が簡単である。
【００４１】
本発明は、上述した実施の形態に限定されず、その要旨を逸脱しない範囲内において、種々の変形が可能である。
【００４２】
例えば、本実施の形態では、収納部１１はコインのみを収納するものであったが、これに代えて、コインのみならず、紙幣やカードを収納可能にするようにしてもよい。
【００４３】
例えば、本実施の形態では、被係止片１３およびフック部材４をそれぞれ１つずつ設けたが、これに限定されず、被係止片１３を複数設け、これに応じてフック部材４も複数個設けて、これらの被係止片１３にそれぞれフック部材４を刑死させるようにしても良い。この場合、本体ケース６の閉状態を強固に保つことができ、バイクの走行中等において、本体ケース５が開状態になるのを確実に防止することができる。
【００４４】
また、スライド部材１５の被係止片１３にフック部材４を係止させたが、これに代えて、スライド部材１５に係止孔を形成して、この係止孔にフック部材４を係止させるようにしても良い。
【００４５】
また、本実施の形態では、通貨収納装置１を腕に装着したが、これに限定されず、例えば、脚や腰等に装着するようにしても良い。要するに、体のいずれかの部位に装着するようにすればよい。
【００４６】
また、本実施の形態では、解除部７を押し釦２５と押圧部材２７とで構成したが、これに限定されず、解除部７を、例えば、本体カバー５の挿通孔に挿通されて固定された回動軸と、この回動軸を所定角度回動させて本体カバー５を開閉させるモータ（駆動部）と、モータを駆動するためのスイッチ部とにより構成しても良い。この場合、モータのモータ軸と回動軸との間に複数個のギヤを介在させるようなしても良い。なお、スイッチ部としては、押し釦式やレバー式のもの等を用いることもできる。
このように構成すると、スイッチ部への操作のみで、本体カバー５を開閉自在にすることができるので、本体カバー６の開閉動作がワンタッチで行え、本体カバー５の開閉動作の手間を省略することができる。
【００４７】
また、押し釦２５の形状は、本実施の形態に限定されず、例えば、いわゆる拳銃の引き金形状等、適宜変更可能である。この場合、通貨収納装置１の全体形状を拳銃のような形状にしても良い。
【００４８】
また、本実施の形態では、装着部９はバンドにより腕に装着するものであったが、これに代えて、リング状のリング部材を設けて、このリング部材を腕に通すような構成にしても良い。
さらには、装着部９としては、例えば、拳銃を収納するホルスターと同様に形成するようにしても良い。
【００４９】
【発明の効果】
請求項１に記載の発明では、バイクに乗ったまま、グローブをはめたままでも、容易に必要な通貨を支払うことができる。
【００５０】
請求項２に記載の発明では、請求項１に記載の発明と同様な効果を秦するとともに、操作部を押すだけで、移動部材が例えば係止位置から解除位置に移動して、蓋部材の係止部と移動部材との係止状態が解除されるので、蓋部材を容易に開けることができる。
【００５１】
請求項３に記載の発明では、請求項１又は２に記載の発明と同様な効果を奏するとともに、駆スイッチ部への操作のみで、本体カバーを開閉自在にすることができるので、本体カバーの開閉動作がワンタッチで行え、本体カバーの開閉動作の手間を省略することができる。
【００５２】
請求項４に記載の発明では、請求項１乃至３のいずれかに記載の発明と同様な効果を奏するとともに、蓋部材は、開方向に向けて常時付勢されているので、本体ケースに対する蓋部材の係止状態が解除されるだけで、蓋部材を自動的に開けることができ、蓋部材を開ける手間がかからない。
【００５３】
請求項５に記載の発明では、請求項１乃至４のいずれかに記載の発明と同様な効果を奏するとともに、蓋部材が流線型をなしているので、通貨収納装置を腕に装着した状態で、バイクを走行した場合に、風の抵抗を低減することができる。また、意匠性にも優れた通貨収納装置を提供することができる。
【００５４】
請求項６に記載の発明では、請求項１乃至５のいずれかに記載の発明と同様な効果を奏するとともに、蓋部材の裏面に、保持部材が設けられているので、紙幣やカード等を容易に収納できる。また、保持部材を設けることにより、本体ケースの収納部にはコインのみ、保持部材には紙幣やカードのみといったように、通貨の種類に応じた区分けが容易にできるため、料金所における支払いの手間を更に軽減することができる。
【００５５】
請求項７に記載の発明では、請求項１乃至６のいずれかに記載の発明と同様な効果を奏するとともに、装着部はバンドを備えているので、本体ケースを腕に確実に装着できるとともに、構成が簡単である。
【図面の簡単な説明】
【図１】本発明の実施の形態にかかる通貨収納装置を示す横断面図である。
【図２】図１の通貨収納装置の内部構造を示す平面図である。
【図３】図１の通貨収納装置を示す縦断面図である。
【図４】本体カバーを示す側面図である。
【図５】操作部を示す平面図である。
【符号の説明】
１　　　通貨収納装置
３　　　本体ケース
４　　　フック部材（係止部）
５　　　本体カバー（蓋部材）
７　　　解除部
９　　　装着部
１１　　収納部
１３　　被係止片（被係止部）
１５　　スライド部材（移動部材）
２５　　押し釦（操作部）
２８　　ゴムバンド（保持部材）
【図１】
2004081841.tif 000003
【図２】
2004081841.tif 000004
【図３】
2004081841.tif 000005
【図４】
2004081841.tif 000006
【図５】
2004081841.tif 000007